(57)【特許請求の範囲】
【請求項１】
複数のレンズ群を有し、物体の像を結像する結像光学系と、
前記結像光学系のうちのレンズを移動可能に保持するための保持枠と、
その長さが光軸方向に沿う方向に変化する温度補正用間隔調整部と、
前記温度補正用間隔調整部の一端は前記保持枠に当接し、前記長さが変化する方向の他端は、移動可能な前記レンズの有効領域以外に当接し、
さらに、移動可能な前記レンズに関して前記温度補正用間隔調整部とは反対側に配置され、前記温度補正用間隔調整部の長さが変化する方向に、移動可能な前記レンズに外力を負荷する弾性部材と、
前記結像光学系の温度を検出する温度検出部と、
温度の変化による前記結像光学系の像面の変化量と、温度との対応関係を格納しているテーブルと、
前記温度検出部からの温度と、前記テーブルに格納されている前記対応関係とに基づいて、前記温度補正用間隔調整部の長さを目標値となるように制御する制御部と、
を有することを特徴とする光学装置。
【請求項２】
さらに、前記結像光学系により結像された像を電気信号に変換する撮像面を有する撮像素を有することを特徴とする請求項１に記載の光学装置。
【請求項３】
複数のレンズ群は、広角端から望遠端へのズーミングの際、各レンズ群の間の距離が変化するズームレンズであることを特徴とする請求項１または２に記載の光学装置。
【請求項４】
前記結像光学系は、樹脂からなり非球面を有するレンズを有することを特徴とする請求項１〜３のいずれか一項に記載の光学装置。
【請求項５】
前記温度検出部は、樹脂からなる前記レンズの近傍に配置されていることを特徴とする請求項４に記載の光学装置。
【請求項６】
前記制御部は、環境温度の変化による前記結像光学系の像面の光軸方向の移動量を相殺するように、前記温度補正用間隔調整部の長さを制御し、移動可能な前記レンズを移動させることを特徴とする請求項１〜５のいずれか一項に記載の光学装置。
【請求項７】
移動可能な前記レンズは、少なくともレンズとレンズ群の一方であることを特徴とする請求項１〜６のいずれか一項に記載の光学装置。
【請求項８】
前記温度補正用間隔調整部は、複数の前記レンズ群に設けられていることを特徴とする請求項７に記載の光学装置。
【請求項９】
さらに、以下の条件式（１）、（２）、（３）、（４）を満足することを特徴とする請求項３〜８のいずれか一項に記載の光学装置。
０．５０＜｜ｆｍ／ｆｗ｜＜１０．００      （１）
０．０１＜｜ｆｍ／ｆｔ｜＜  ３．００      （２）
０．５０＜｜ｆｃ／ｆｗ｜＜１０．００      （３）
０．０１＜｜ｆｃ／ｆｔ｜＜  ３．００      （４）
ここで、
ｆｗは、前記ズームレンズ全系の広角端における焦点距離、
ｆｔは、前記ズームレンズ全系の望遠端における焦点距離、
ｆｍは、樹脂からなり非球面を有する前記レンズの焦点距離、
ｆｃは、移動可能な前記レンズまたは前記レンズ群の焦点距離、
である。
【請求項１０】
前記結像光学系は、物体側から順に、少なくとも、
正屈折力の第１レンズ群と、
負屈折力の第２レンズ群と、
正屈折力の第３レンズ群と、
正屈折力の第４レンズ群と、
を有することを特徴とする請求項１〜９のいずれか一項に記載の光学装置。
【請求項１１】
前記第１レンズ群は、光路を屈曲させる反射面をもつ反射部材を有することを特徴とする請求項１０に記載の光学装置。
【請求項１２】
前記結像光学系は、物体側から順に、少なくとも、
負屈折力の第１レンズ群と、
正屈折力の第２レンズ群と、
正屈折力の第３レンズ群と、
正屈折力の第４レンズ群と、
を有することを特徴とする請求項１〜９のいずれか一項に記載の光学装置。
【請求項１３】
前記温度補正用間隔調整部は形状記憶合金で形成され、
前記制御部は、前記形状記憶合金へ印加する電流を制御することで、前記温度補正用間隔調整部の長さを制御することを特徴とする請求項１〜１２のいずれか一項に記載の光学装置。
【発明の詳細な説明】
【技術分野】
【０００１】
本発明は、光学装置に関するものである。
【背景技術】
【０００２】
近年、プリフォームレンズ（原型）を高温で軟化させ、金型でプレス成形することにより、高精度な面形状を有するモールドレンズを生産している。例えば、非球面形状を有する金型に、溶かしたガラスやプラスチック樹脂を流し込んで、その後、冷やして固めてレンズを生成する。
【０００３】
特に、樹脂性のプラスチックモールドレンズは、安価であるため、普及がすすんでいる。ここで、プラスチックモールドレンズは温度特性も大きい。
このため、環境温度の変化により、プラスチックモールドレンズの焦点位置も変化してしまう。
また、環境温度の変化により、光学系の空気間隔が所定の設計値から変わってしまう場合もある。
いずれの場合も光学特性が変化してしまうため、なんらかの補正をする必要がある。
【０００４】
このような光学特性の変化を補正する装置、またはレンズを駆動する装置として、以下の特許文献１、２、３、４に開示された装置が知られている。
特許文献１には、投写画像のアスペクト比と台形歪みを変えることができる投射型表示装置が開示されている。
特許文献２には、フォーカシング機構を有するコンパクトな撮像装置が開示されている。特許文献３には、レンズの間隔を高精度に調整するためのスペーサーが開示されている。
特許文献４には、高分子アクチュエータを用いてレンズの調整を行う撮影装置が開示されている。
【先行技術文献】
【特許文献】
【０００５】
【特許文献１】特開平１１−２１１９７９号公報
【特許文献２】特開２００７−８６１５８号公報
【特許文献３】特開平０７−１１３９３６号公報
【特許文献４】特開２００９−９４２３７号公報
【発明の概要】
【発明が解決しようとする課題】
【０００６】
しかしながら、いずれの特許文献１、２、３、４にも、環境温度の影響による光学特性の劣化を低減する構成は提案されていない。このため、環境温度が変化した場合、光学特性が劣化（例えば、結像位置と像面がずれる）してしまうという問題を有している。
【０００７】
本発明は、上記に鑑みてなされたものであって、環境温度が変化しても、常に安定した光学特性を得ることができる光学装置を提供することを目的とする。
【課題を解決するための手段】
【０００８】
上述した課題を解決し、目的を達成するために、本発明の光学装置は、
複数のレンズ群を有し、物体の像を結像する結像光学系と、
結像光学系のうちのレンズを移動可能に保持するための保持枠と、
その長さが光軸方向に沿う方向に変化する温度補正用間隔調整部と、
温度補正用間隔調整部の一端は保持枠に当接し、長さが変化する方向の他端は、移動可能なレンズの有効領域以外に当接し、
さらに、移動可能なレンズに関して温度補正用間隔調整部とは反対側に配置され、温度補正用間隔調整部の長さが変化する方向に、移動可能なレンズに外力を負荷する弾性部材と、
結像光学系の温度を検出する温度検出部と、
温度の変化による結像光学系の像面の変化量と、温度との対応関係を格納しているテーブルと、
温度検出部からの温度と、テーブルに格納されている対応関係とに基づいて、温度補正用間隔調整部の長さを目標値となるように制御する制御部と、
を有することを特徴とする。
【０００９】
また、本発明の好ましい態様によれば、さらに、結像光学系により結像された像を電気信号に変換する撮像面を有する撮像素を有することが望ましい。
【００１０】
また、本発明の好ましい態様によれば、複数のレンズ群は、広角端から望遠端へのズーミングの際、各レンズ群の間の距離が変化するズームレンズであることが望ましい。
【００１１】
また、本発明の好ましい態様によれば、結像光学系は、樹脂からなり非球面を有するレンズを有することが望ましい。
【００１２】
また、本発明の好ましい態様によれば、温度検出部は、樹脂からなるレンズの近傍に配置されていることが望ましい。
【００１３】
また、本発明の好ましい態様によれば、制御部は、環境温度の変化による結像光学系の像面の光軸方向の移動量を相殺するように、温度補正用間隔調整部の長さを制御し、移動可能なレンズを移動させることが望ましい。
【００１４】
移動可能なレンズは、少なくともレンズとレンズ群の一方であることが望ましい。
【００１５】
また、本発明の好ましい態様によれば、温度補正用間隔調整部は、複数のレンズ群に設けられていることが望ましい。
【００１６】
さらに、以下の条件式（１）、（２）、（３）、（４）を満足することが望ましい。
０．５０＜｜ｆｍ／ｆｗ｜＜１０．００      （１）
０．０１＜｜ｆｍ／ｆｔ｜＜  ３．００      （２）
０．５０＜｜ｆｃ／ｆｗ｜＜１０．００      （３）
０．０１＜｜ｆｃ／ｆｔ｜＜  ３．００      （４）
ここで、
ｆｗは、ズームレンズ全系の広角端における焦点距離、
ｆｔは、ズームレンズ全系の望遠端における焦点距離、
ｆｍは、樹脂からなり非球面を有するレンズの焦点距離、
ｆｃは、移動可能なレンズまたはレンズ群の焦点距離、
である。
【００１７】
また、本発明の好ましい態様によれば、結像光学系は、物体側から順に、少なくとも、
正屈折力の第１レンズ群と、
負屈折力の第２レンズ群と、
正屈折力の第３レンズ群と、
正屈折力の第４レンズ群と、
を有することが望ましい。
【００１８】
また、本発明の好ましい態様によれば、第１レンズ群は、光路を屈曲させる反射面をもつ反射部材を有することが望ましい。
【００１９】
また、本発明の好ましい態様によれば、結像光学系は、物体側から順に、少なくとも、
負屈折力の第１レンズ群と、
正屈折力の第２レンズ群と、
正屈折力の第３レンズ群と、
正屈折力の第４レンズ群と、
を有することが望ましい。
【００２０】
また、本発明の好ましい態様によれば、温度補正用間隔調整部は形状記憶合金で形成され、
制御部は、形状記憶合金へ印加する電流を制御することで、温度補正用間隔調整部の長さを制御することが望ましい。
【発明の効果】
【００２１】
本発明によれば、環境温度が変化しても、常に安定した光学特性を得ることができる光学装置を提供することができるという効果を奏する。
【図面の簡単な説明】
【００２２】
【図１】デジタルカメラの外観を示す前方斜視図である。
【図２】デジタルカメラの外観を示す後方正面図である。
【図３】デジタルカメラの構成を示す模式的な断面図である。
【図４】（ａ）は、温度センサＴＳの他の取付け位置を示す外観図である。（ｂ）は、温度センサＴＳのさらに他の取付け位置を示す外観図である。（ｃ）は、結像光学系の断面構成例を示す図である。
【図５】レンズＬ４とレンズＬ５との接合レンズ近傍の断面構成を示す図である。
【図６】レンズの駆動に関する機能ブロックを示す図である。
【図７】機能ブロックを用いたときの手順を示すフローチャートである。
【図８】間隔調整サブルーチンの内容を示すフローチャートである。
【図９】実施例１のズームレンズの無限遠物点合焦時の広角端（ａ）、中間焦点距離状態（ｂ）、望遠端（ｃ）のレンズ断面図である。
【図１０】実施例２のズームレンズの無限遠物点合焦時の広角端（ａ）、中間焦点距離状態（ｂ）、望遠端（ｃ）のレンズ断面図である。
【図１１】実施例３のズームレンズの無限遠物点合焦時の広角端（ａ）、中間焦点距離状態（ｂ）、望遠端（ｃ）のレンズ断面図である。
【図１２】実施例４のズームレンズの無限遠物点合焦時の広角端（ａ）、中間焦点距離状態（ｂ）、望遠端（ｃ）のレンズ断面図である。
【図１３】実施例５のズームレンズの無限遠物点合焦時の広角端（ａ）、中間焦点距離状態（ｂ）、望遠端（ｃ）のレンズ断面図である。
【図１４】数値実施例１に係るズームレンズの望遠端状態における、環境温度の変化に対する像面位置の変化量と、調整部材（形状記憶合金）の温度変化に対する像面位置の変化量との関係を示す図である。
【図１５】数値実施例２に係るズームレンズの望遠端状態における、環境温度の変化に対する像面位置の変化量と、調整部材（形状記憶合金）の温度変化に対する像面位置の変化量との関係を示す図である。
【図１６】数値実施例３に係るズームレンズの望遠端状態における、環境温度の変化に対する像面位置の変化量と、調整部材（形状記憶合金）の温度変化に対する像面位置の変化量との関係を示す図である。
【図１７】数値実施例４に係るズームレンズの望遠端状態における、環境温度の変化に対する像面位置の変化量と、調整部材（形状記憶合金）の温度変化に対する像面位置の変化量との関係を示す図である。
【図１８】数値実施例５に係るズームレンズの望遠端状態における、環境温度の変化に対する像面位置の変化量と、調整部材（形状記憶合金）の温度変化に対する像面位置の変化量との関係を示す図である。
【発明を実施するための形態】
【００２３】
以下に、本発明にかかる光学装置の実施例を図面に基づいて詳細に説明する。なお、この実施例によりこの発明が限定されるものではない。
【００２４】
（デジタルカメラ）
図１〜図３は、後述するズームレンズを撮影光学系１０１に組み込んだデジタルカメラ１００の構成の概念図を示す。図１はデジタルカメラ１００の外観を示す前方斜視図、図２は同後方正面図である。図３はデジタルカメラ１００の構成を示す模式的な断面図である。ただし、図１と図３においては、撮影光学系１０１の非沈胴時を示している。
【００２５】
デジタルカメラ１００は、この例の場合、撮影用光路１０２を有する撮影光学系１０１、ファインダー用光路１０４を有するファインダー光学系１０３、シャッターボタン１０５、フラッシュ１０６、液晶表示モニター１０９、焦点距離変更ボタン１０８、設定変更スイッチ１１８等を含み、撮影光学系１０１の沈胴時には、カバー１０７をスライドすることにより、撮影光学系１０１とファインダー光学系１０３とフラッシュ１０６はそのカバー１０７で覆われる。そして、カバー１０７を開いてカメラ１００を撮影状態に設定すると、撮影光学系１０１は図３の非沈胴状態になる。カメラ１００の上部に配置されたシャッターボタン１０５を押圧すると、それに連動して撮影光学系１０１、例えば後述する実施例１のズームレンズを通して撮影が行われる。撮影光学系１０１によって形成された物体像が、波長域制限コートを施したローパスフィルタＦとカバーガラスＣを介してＣＣＤ１１０の撮像面上に形成される。このＣＣＤ１１０で受光された物体像は、処理手段１１２を介し、電子画像としてカメラ背面に設けられた液晶表示モニター１０９に表示される。また、この処理手段１１２には記憶手段１１３が接続され、撮影された電子画像を記録することもできる。なお、この記憶手段１１３は処理手段１１２と別体に設けてもよいし、フレキシブルディスクやメモリーカード、ＭＯ等により電子的に記録書込を行うように構成してもよい。また、ＣＣＤ１１０に代わって銀塩フィルムを配置した銀塩カメラとして構成してもよい。
【００２６】
さらに、ファインダー用光路１０４上にはファインダー用対物光学系１１４が配置してある。ファインダー用対物光学系１１４、複数のレンズ群（図の場合は４群）と２つのプリズムからなり、撮影光学系１０１のズームレンズに連動して焦点距離が変化するズーム光学系からなり、このファインダー用対物光学系１１４によって形成された物体像は、像正立部材である正立プリズム１１５の視野枠１１６上に形成される。この正立プリズム１１５の後方には、正立正像にされた像を観察者眼球Ｅに導く接眼光学系１１７が配置されている。なお、接眼光学系１１７の射出側にカバー部材１１１が配置されている。
【００２７】
このように構成されたデジタルカメラ１００は、撮影光学系１０１として、本発明のズームレンズを有している。このため、環境温度が変化しても、常に安定した光学特性を得ることができる
【００２８】
また、温度センサＴＳは、プラスチックモールドレンズ近傍に設けられている。さらに、温度補正用間隔調整部１２０は、後述する調整レンズを駆動するために設けられている。
【００２９】
（温度センサの説明）
次に、温度センサＴＳを設ける位置について説明する。
図１のデジタルカメラ１００の外観構成図に示すように、温度センサＴＳは、鏡枠ＬＢ内の温度との誤差を極力小さくするため、できるかぎり撮影光学系１０１のレンズの近くに設置するとよい。これにより、鏡枠外装・鏡枠内に温度センサＴＳを設置することと比較して、レイアウトが行いやすい。
【００３０】
また、デジタルカメラ１００のボディのグリップ側に温度センサＴＳを設置すると、体温の影響で正確な温度測定ができなくなる可能性がある。このため、温度センサＴＳは、グリップとは反対側に設置することが好ましい。
【００３１】
図４（ａ）は、温度センサＴＳの他の取付け位置を示す外観図である。デジタルカメラ１００の鏡筒ＬＢの外側に温度センサＴＳを設けている。これにより、鏡枠ＬＢ内に温度センサＴＳを設置することと比較してレイアウトが行いやすい。また、温度センサＴＳを、温度を測定する対象となるレンズに近づけることによって温度誤差を小さくすることができる。光学系を構成する複数のレンズまたはレンズ群のうち、いずれのレンズまたはレンズ群を温度測定の対象とするかについては、結像光学系の具体的な実施例を用いて後述する。
【００３２】
さらに、温度センサＴＳを鏡枠ＬＢの下側に配置することによって直射日光があたることによる温度誤差を小さくすることができる。
なお、鏡枠ＬＢは、ズーミングに際して、直進系であることが望ましい。
【００３３】
図４（ｂ）は、温度センサＴＳのさらに他の取付け位置を示す外観図である。デジタルカメラ１００の鏡筒ＬＢの内部に温度センサＴＳが設けられている。
これにより、鏡枠ＬＢ内に温度センサＴＳを設置することと比較して、レイアウトが行いやすい。
また、温度センサＴＳを鏡枠ＬＢの駆動部分に設置していない構成である。このため、図４（ａ）に示す設置場所と比較して、レイアウトが行いやすい。
【００３４】
図４（ｃ）は、結像光学系の断面構成例を示している。ここで、レンズＬ３はプラスチックモールドレンズである。また、レンズＬ４とＬ５との接合レンズは、光軸方向に移動可能に保持されている。
鏡枠ＬＢ内に温度センサＴＳを設置している。これにより、鏡枠ＬＢ内の温度との誤差を小さくすることができる。
また、可動レンズ群の温度変化を検知するには、レンズ可動範囲の中間点に温度センサＴＳを置くことが望ましい。
【００３５】
次に、レンズを移動可能に保持する機構について説明する。
図５は、レンズＬ４とレンズＬ５との接合レンズ近傍の断面構成を示す図である。レンズＬ３は、プラスチックモールドレンズである。
保持枠１２４は、結像光学系のうちのレンズＬ４、Ｌ５を移動可能に保持する。温度補正用間隔調整部１２０は、その長さが光軸１０２（図１参照）方向に沿う方向に変化する。
【００３６】
温度補正用間隔調整部１２０の一端は保持枠１２４に当接している。また、長さが変化する方向の他端は、移動可能なレンズＬ４の有効領域以外に当接している。さらに、移動可能なレンズＬ４、Ｌ５に関して温度補正用間隔調整部１２０とは反対側に配置され、温度補正用間隔調整部１２０の長さが変化する方向に、移動可能なレンズに外力を負荷する弾性部材１２１が設けられている。
【００３７】
弾性部材１２１の一端は、保持枠１２３に当接している。また、弾性部材１２１の他端は、移動可能なレンズＬ４の有効領域以外に当接している。
【００３８】
レンズＬ３は、温度変化に感度の高いプラスチックモールドレンズである。そして、レンズＬ３の近くに温度センサＴＳを設置する。これにより、レンズＬ３自身の温度とレンズＬ３周辺の環境温度との誤差を小さくすることができる。
また、温度補正用間隔調整部１２０は、具体的には形状記憶合金材料で構成される。弾性部材１２１は、リングまたは圧縮コイルばねを用いることができる。
【００３９】
図６は、本実施形態のレンズの駆動に関する機能ブロックを示している。ユーザは、調整モード選択部２０１から、例えば以下の情報を入力する。調整モード選択部２０１は、ジョグダイアル等を用いることができる。
調整モード選択部２０１により、例えば、「補正モード」を選択する。
【００４０】
調整モードの情報は、ＣＰＵ２０４へ送られる。ＣＰＵ２０４には、温度センサ２０２、ＲＡＭ２０３が接続されている。
ＲＡＭ２０３は、テーブルＴＢに対応する。テーブルＴＢは、温度の変化による結像光学系の像面の変化量と、温度との対応関係を格納している。
また、制御部に対応するＣＰＵ２０４は、温度検出部である温度センサＴＳからの温度と、テーブルＴＢに格納されている対応関係とに基づいて、温度補正用間隔調整部１２０の長さを目標値となるように、形状記憶合金への印加電流を制御する。
テーブルＴＢに格納されている「対応関係」ついては、具体例を後述する。
【００４１】
また、ＣＰＵ２０４は、レンズの駆動量、例えばズーム駆動量、フォーカシング駆動量、可動レンズの調整量などを算出する。
【００４２】
ＣＰＵ２０４からの制御信号は、アナログスイッチ２０５ａ、２０５ｂ、２０５ｃを介して、それぞれドライバ２０６ａ、２０６ｂ、２０６ｃへ出力される。
【００４３】
ドライバ２０６ａは、ズームモータ２０７を駆動する。ドライバ２０６ｂは、フォーカスモータ２０８を駆動する。ドライバ２０６ｃは、温度補正用間隔調整部を構成する形状記憶合金部材２０９へ電流を印加し駆動する。
【００４４】
図７は、上述の機能ブロックを用いたときの手順を示すフローチャートである。
ステップＳ３０１において、ユーザは、カメラをＯＮしたのち、撮影モードを選択する。次に、調整モード選択部２０１を用いて調整モードを選択する。
【００４５】
ステップＳ３０２において、まず、所望の焦点距離状態へズームレンズを駆動する。
ステップＳ３０３において、ＣＰＵ２０４は、ズームレンズが望遠端状態であるか否かを判断する。
【００４６】
ステップＳ３０３の判断結果が真（Ｙｅｓ）のとき、ステップＳ３０４において、後述する間隔調整サブルーチンを実行する。これにより、可動保持されているレンズまたはレンズ群を移動（適宜「レンズ調整」という。）させる。
【００４７】
ステップＳ３０３の判断結果が偽（Ｎｏ）のとき、ステップＳ３０２へ戻り、ズームレンズの駆動を繰り返す。なお、本フローチャートは、ズームレンズが望遠端状態であるときに、レンズ調整を行う手順を示している。これに限られず、ズームレンズが広角端状態、中間焦点距離状態にあるときに、それぞれレンズ調整を行ってもよい。この場合、ステップＳ３０３の判断において、「広角端状態であるか」または「中間焦点距離状態であるか」を判断すれば良い。
【００４８】
ステップＳ３０５において、フォーカシングのためのレンズ駆動が行われる。ステップＳ３０６において、ユーザが撮影するまで待機する。ステップＳ３０７において、ユーザの所望の撮影条件において撮影が行われる。
【００４９】
図８は、間隔調整サブルーチンの内容を示すフローチャートである。ステップＳ４０１において、ＣＰＵ２０４は、温度センサＴＳにより、調整用のレンズ近傍の温度を計測する。
【００５０】
ステップＳ４０２において、ＣＰＵ２０４は、計測された温度と、予め定められている設計温度との乖離、すなわち差分を算出する。ここで、「設計温度」とは、光学系が設計値どおりの光学特性を発揮する状態となるときの温度をいう。環境温度と設計温度とが等しければ、レンズ調整は不要である。
【００５１】
ステップＳ４０３において、ＣＰＵ２０４は、所望のレンズ調整値となるような各ドライバ２０６ａ、２０６ｂ、２０６ｃの制御量を算出する。
【００５２】
ステップＳ４０４において、ドライバ２０６ａ、２０６ｂ、２０６ｃを駆動して、レンズ調整などを行う。
【００５３】
また、レンズ調整可能な温度範囲を超えている場合、ユーザに対して、アラーム表示を行っても良い。
【００５４】
次に、本発明に係る光学装置が有する結像光学系の具体例について説明する。
【００５５】
以下の結像光学系において、複数のレンズ群は、広角端から望遠端へのズーミングの際、各レンズ群の間の距離が変化するズームレンズである。これにより、ユーザが所望の撮影倍率を選択できる。
【００５６】
また、結像光学系は、樹脂（プラスチック）からなり非球面を有するレンズを有している。これにより、安価で高精度な非球面レンズを得られる。この結果、諸収差を良好に補正できる。
【００５７】
さらに、温度センサＴＳは、樹脂からなるレンズの近傍に配置されている。
【００５８】
制御部であるＣＰＵは、環境温度の変化による結像光学系の像面の光軸方向の移動量を相殺するように、温度補正用間隔調整部１２０の長さを制御し、移動可能な前記レンズを移動させる。これにより、後の数値実施例で詳述するように、像面移動の変化量を相殺できる。このため、安定した光学特性を得られる。
【００５９】
ここで、温度補正用調整部１２０である形状記憶合金を加熱する際、形状記憶合金だけを効率よく加熱し、プラスチックモールドレンズは断熱されていることが望ましい。これにより、形状記憶合金を加熱することにより、モールドレンズが変形してしまうことを低減できる。
【００６０】
移動可能なレンズは、少なくともレンズとレンズ群の一方である。
【００６１】
温度補正用間隔調整部１２０は、複数のレンズ群に設けられていてもよい。これにより、像面位置の調整に効果的なレンズ群を調整することができる。
【００６２】
さらに、以下の各実施例は、以下の条件式（１）、（２）、（３）、（４）を満足することが望ましい。
０．５０＜｜ｆｍ／ｆｗ｜＜１０．００      （１）
０．０１＜｜ｆｍ／ｆｔ｜＜  ３．００      （２）
０．５０＜｜ｆｃ／ｆｗ｜＜１０．００      （３）
０．０１＜｜ｆｃ／ｆｔ｜＜  ３．００      （４）
ここで、
ｆｗは、ズームレンズ全系の広角端における焦点距離、
ｆｔは、ズームレンズ全系の望遠端における焦点距離、
ｆｍは、樹脂からなり非球面を有するレンズの焦点距離、
ｆｃは、移動可能なレンズまたはレンズ群の焦点距離、
である。
【００６３】
条件式（１）は、モールドレンズの焦点距離と、ズームレンズの広角端の焦点距離との比の適切な範囲を規定している。
【００６４】
条件式（２）は、モールドレンズの焦点距離と、ズームレンズの望遠端の焦点距離との比の適切な範囲を規定している。
【００６５】
条件式（３）は、調整レンズの焦点距離と、ズームレンズの広角端の焦点距離との比の適切な範囲を規定している。
【００６６】
条件式（４）は、調整レンズの焦点距離と、ズームレンズの望遠端の焦点距離との比の適切な範囲を規定している。
条件式（１）、（２）、（３）及び（４）を総合すると、下限値を下回る場合、レンズのパワーが強すぎると感度が大きすぎて、像面合せの微調整が難しくなる。
また、上限値を上回る場合、レンズのパワーが弱すぎると感度が小さすぎて、調整部材の変化では像面を合わせることができない。
【００６７】
以下、本発明のズームレンズの実施例１〜５について説明する。実施例１〜５の無限遠物点合焦時の広角端（ａ）、中間焦点距離状態（ｂ）、望遠端（ｃ）のレンズ断面図をそれぞれ図９〜図１３に示す。図９〜図１３中、第１レンズ群はＧ１、第２レンズ群はＧ２、明るさ（開口）絞りはＳ、第３レンズ群はＧ３、第４レンズ群はＧ４、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
また、各実施例において、調整レンズは、各図（ａ）に記載する矢印方向に移動する。
【００６８】
また、各実施例において、明るさ絞りＳは第３レンズ群Ｇ３と一体で移動する。数値データはいずれも無限遠の被写体に合焦した状態でのデータである。各数値の長さの単位はｍｍ、角度の単位は°（度）である。フォーカシングはいずれの実施例も最も像側のレンズ群の移動により行う。
【００６９】
（実施例１）
実施例１のズームレンズは、図９に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【００７０】
広角端から望遠端にかけての変倍時、第１レンズ群Ｇ１は物体側へ移動し、第２レンズ群Ｇ２は物体側へ移動し、第３レンズ群Ｇ３は物体側へ移動し、第４レンズ群Ｇ４は像側へ移動する。
【００７１】
物体側から順に、第１レンズ群Ｇ１は、物体側に凸面を向けた負メニスカスレンズＬ１と両凸正レンズＬ２との接合レンズとからなる。
第２レンズ群Ｇ２は、両凹負レンズＬ３と、両凹負レンズＬ４と両凸正レンズＬ５との接合レンズとからなる。
第３レンズ群Ｇ３は、両凸正レンズＬ６と、物体側に凸面を向けた負メニスカスレンズＬ７とからなる。
第４レンズ群Ｇ４は、両凸正レンズＬ８からなる。
【００７２】
非球面は、両凸正レンズＬ２の像側の面と、両凹負レンズＬ３の両面と、両凸正レンズＬ６の両面と、両凸正レンズＬ８の物体側の面との６面に用いている。
【００７３】
実施例１において、両凹負レンズＬ３がプラスチックモールドレンズである。また、両凹負レンズＬ４と両凸正レンズＬ５との接合レンズが調整レンズである。
【００７４】
（実施例２）
実施例２のズームレンズは、図１０に示すように、実施例１のズームレンズと諸元値は同一であるので重複する説明は省略する。
実施例２では、両凹負レンズＬ３がプラスチックモールドレンズである。また、負メニスカスレンズＬ７が調整レンズである。
【００７５】
また、調整レンズ群として、第２レンズ群Ｇ２と、第３レンズ群Ｇ３との両方を動かしても良い。
例えば、環境温度が高いとき、第２レンズ群Ｇ２を調整レンズ群として移動させる。また、環境温度が低いとき、第３レンズ群Ｇ３を調整レンズ群として移動させる。これにより、効率よく像面の位置を調整できるため、消費電力を低減できる。
【００７６】
（実施例３）
実施例３のズームレンズは、図１１に示すように、物体側から順に、負の屈折力の第１レンズ群Ｇ１と、明るさ絞りＳと、正の屈折力の第２レンズ群Ｇ２と、正の屈折力の第３レンズ群Ｇ３と、正の屈折力の第４レンズ群Ｇ４とを配置している。
【００７７】
広角端から望遠端にかけての変倍時、第１レンズ群Ｇ１は像側へ移動した後、反転し物体側へ移動し、第２レンズ群Ｇ２は物体側へ移動し、第３レンズ群Ｇ３は略固定し、第４レンズ群Ｇ４は略固定している。
【００７８】
物体側から順に、第１レンズ群Ｇ１は、両凹負レンズＬ１と、物体側に凸面を向けた正メニスカスレンズＬ２とからなる。
第２レンズ群Ｇ２は、両凸正レンズＬ３と、両凸正Ｌ４と両凹負レンズＬ５との接合レンズとからなる。
第３レンズ群Ｇ３は、像側に凸面を向けた正メニスカスレンズＬ６とからなる。
第４レンズ群Ｇ４は、像側に凸面を向けた正メニスカスレンズＬ７からなる。
【００７９】
非球面は、両凹負レンズＬ１の像側の面と、正メニスカスレンズＬ２の両面と、両凸正レンズＬ３の両面と、正メニスカスレンズＬ６の像側の面と、正メニスカスレンズＬ７の物体側の面との７面に用いている。
【００８０】
実施例３において、両凹負レンズＬ１がプラスチックモールドレンズである。また、正メニスカスレンズＬ２が調整レンズである。
【００８１】
（実施例４）
実施例４のズームレンズは、図１２に示すように、実施例３のズームレンズと諸元値は同一であるので重複する説明は省略する。
実施例４では、両凹負レンズＬ１がプラスチックモールドレンズである。また、両凸正Ｌ４と両凹負レンズＬ５との接合レンズとの接合レンズが調整レンズである。
【００８２】
（実施例５）
実施例５のズームレンズは、図１３に示すように、物体側から順に、正の屈折力の第１レンズ群Ｇ１と、負の屈折力の第２レンズ群Ｇ２と、正の屈折力の第３レンズ群Ｇ３と、明るさ絞りＳと、正の屈折力の第４レンズ群Ｇ４と、負の屈折力の第５レンズ群Ｇ５とを配置している。
【００８３】
広角端から望遠端にかけての変倍時、第１レンズ群Ｇ１は固定し、第２レンズ群Ｇ２は像面側へ移動し、第３レンズ群Ｇ３は略固定し、第４レンズ群Ｇ４は物体側へ移動し、第５レンズ群Ｇ５は物体側へ移動する。
【００８４】
物体側から順に、第１レンズ群Ｇ１は、平凹負レンズＬ１と、プリズムＬ２と、平凸正レンズＬ３と、両凸正レンズＬ４からなる。
第２レンズ群Ｇ２は、物体側に凸面を向けた負メニスカスレンズＬ５と、両凹負レンズＬ６と両凸正レンズＬ７との接合レンズとからなる。
第３レンズ群Ｇ３は、物体側に凸面を向けた正メニスカスレンズＬ８とからなる。
第４レンズ群Ｇ４は、両凸正レンズＬ９と像面側に凸面を向けた負メニスカスレンズＬ１０との接合レンズと、像面側に凸面を向けた正メニスカスレンズＬ１１とからなる。
第５レンズ群は、両凹負レンズＬ１２からなる。
【００８５】
非球面は、両凸正レンズＬ４の両面と、負メニスカスレンズＬ５の両面と、正メニスカスレンズＬ８の両面と、正メニスカスレンズＬ１１の両面と、両凹負レンズＬ１２の像側の面と、の９面に設けられている。
【００８６】
また、正メニスカスレンズＬ８がプラスチックモールドレンズ、両凸正レンズＬ９と負メニスカスレンズＬ１０との接合レンズが調整レンズである。
【００８７】
以下に、上記各実施例の数値データを示す。記号は上記の外、ｆは全系焦点距離、ＢＦはバックフォーカス、ｆ１、ｆ２…は各レンズ群の焦点距離、ＦNOはＦナンバー、ωは半画角、ＷＥは広角端、ＳＴは中間焦点距離状態、ＴＥは望遠端、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【００８８】
なお、非球面形状は、ｘを光の進行方向を正とした光軸とし、ｙを光軸と直交する方向にとると、下記の式にて表される。
【００８９】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【００９０】
数値実施例１
なお、数値実施例１は、数値実施例２と共通である。
単位  mm
面データ
面番号    r          d         nd        νd  
物面      ∞         ∞
1       19.348      0.80     1.84666    23.78
2       13.468      3.06     1.58233    59.30
3*     -46.885      可変  
4*     -14.693      0.70     1.52542    55.78
5*       8.596      2.36
6       -7.064      0.41     1.61772    49.81
7       32.985      1.20     1.92286    18.90
8      -32.985      可変  
9(絞り)   ∞       -0.10
10*      5.318      2.41     1.58233    59.30
11*     -9.464      0.34
12       6.861      1.48     1.92286    18.90
13       3.451      可変
14*     19.426      2.47     1.52542    55.78
15     -16.727      可変
16        ∞        0.50     1.51633    64.14
17        ∞        0.50
18        ∞        0.50     1.51633    64.14
19        ∞        0.59
像面      ∞     
非球面データ
第３面
K=-8.273
A4=1.02528e-05,A6=2.23537e-07,A8=-6.92546e-09,A10=6.31578e-11  
第４面
K=-71.439
A4=3.06012e-04,A6=2.11113e-05,A8=-1.01947e-06,A10=1.38358e-08  
第５面
K=0.975
A4=2.34067e-03,A6=-1.70768e-04,A8=1.65358e-05,A10=-5.19352e-07  
第１０面
K=-4.225
A4=1.73712e-03,A6=-2.15108e-04,A8=7.54343e-07,A10=6.66853e-09  
第１１面
K=5.493
A4=7.36536e-04,A6=-8.38739e-05,A8=5.33716e-07,A10=5.34934e-10  
第１４面
K=-80.176
A4=1.25061e-03,A6=-5.40302e-05,A8=1.77633e-06,A10=-2.69508e-08  
ズームデータ
ＷＥ      ＳＴ      ＴＥ
焦点距離       6.46     14.08     31.22    
ＦＮＯ．       3.70      5.04      5.88    
画角２ω      64.77     30.28     13.89    
BF             5.89      5.67      5.12    
全長          32.97     39.60     45.51   
d3             0.41      5.13     11.16      
d8             8.59      4.68      1.40       
d13            2.94      8.98     12.70     
d15            4.12      3.94      3.37      
群焦点距離
f1=27.70     f2=-6.44      f3=8.94     f4=17.52   
【００９１】
数値実施例３
なお、数値実施例３は、数値実施例４と共通である。
単位  mm
面データ
面番号    r          d         nd        νd  
物面      ∞         ∞
1*     -22.854      0.97     1.52542    55.78
2*       4.743      1.54
3*       7.433      1.40     1.63493    23.90
4*      13.330      可変
5(絞り)   ∞        0.70
6*       4.289      1.33     1.53110    55.91
7*     -11.463      0.10
8        6.223      1.37     1.58913    61.14
9       -9.415      0.45     1.64769    33.79
10       2.994      可変
11    -116.218      1.70     1.53110    55.91
12*     -7.587      可変
13*    -20.000      0.60     1.53110    55.91
14     -20.000      0.80
15        ∞        0.50     1.51633    64.14
16        ∞        0.37
像面      ∞     
非球面データ
第１面
K=0.000
A4=5.52404e-04,A6=-1.20527e-05,A8=8.62813e-08  
第２面
K=-0.451
A4=1.40911e-04,A6=3.80259e-05,A8=-7.75971e-07  
第３面
K=0.000
A4=-9.62631e-04  
第４面
K=0.000
A4=-1.04008e-03,A6=-4.97126e-06,A8=-2.42870e-08,A10=-6.79084e-09  
第６面
K=-0.278
A4=-1.23389e-03,A6=-3.87694e-06,A8=-9.45601e-06  
第７面
K=0.000
A4=5.56121e-04,A6=-7.58513e-06,A8=-8.46415e-06  
第１２面
K=0.000
A4=9.95377e-04,A6=-3.47152e-05,A8=1.07919e-06,A10=-1.02230e-08  
第１３面
K=0.000
A4=1.80111e-04,A6=-6.34866e-05,A8=1.91836e-06  
ズームデータ
ＷＥ      ＳＴ      ＴＥ
焦点距離       4.66      8.85     17.77    
ＦＮＯ．       3.01      4.23      6.67    
画角２ω       0.00      0.00      0.00     
BF             1.53      1.48      1.44    
全長          28.36     26.47     32.07    
d4            11.30      4.71      0.70       
d10            2.59      7.71     17.24     
d12            2.78      2.41      2.53     
群焦点距離
f1=-11.06     f2=8.68     f3=15.20     f4=3618.76   
【００９２】
数値実施例５
単位  mm
面データ
面番号    r          d         nd        νd  
物面      ∞         ∞
1         ∞        0.60     2.00069    25.46
2       10.749      1.80
3         ∞        7.60     1.84666    23.78
4         ∞        0.10
5         ∞        1.70     1.49700    81.54
6      -15.842      0.10
7*       9.753      2.40     1.52542    55.78
8*     -19.574      可変  
9*     240.547      0.52     1.88300    40.76
10*      5.445      1.38
11     -14.864      0.53     1.88300    40.76
12       7.876      1.36     1.92286    18.90
13     -72.851      可変
14*      5.150      1.20     1.52542    55.78
15*     12.101      1.10
16(絞り)  ∞        可変
17       5.402      3.30     1.48749    70.23
18     -13.198      0.55     1.92286    18.90
19     -42.412      0.23
20*    -27.005      1.91     1.52542    55.78
21*     -9.658      可変
22     -14.851      0.55     1.90200    25.10
23*     58.076      可変
24        ∞        0.50     1.51680    64.20
25        ∞        0.30
像面      ∞     
非球面データ
第７面
K=0.000
A4=-1.27897e-04,A6=-2.18156e-06,A8=1.40894e-08  
第８面
K=0.000
A4=7.08593e-06,A6=-5.67775e-07,A8=1.59153e-08  
第９面
K=0.000
A4=6.05989e-04,A6=-6.55770e-05,A8=1.43802e-06  
第１０面
K=0.000
A4=3.74970e-04,A6=-5.84130e-05,A8=-2.87829e-06  
第１４面
K=-0.596
A4=1.03399e-03,A6=5.12399e-05,A8=1.40482e-05  
第１５面
K=-10.847
A4=2.37614e-03,A6=1.89488e-05,A8=2.35259e-05  
第２０面
K=0.000
A4=-1.16900e-03,A6=8.62117e-05  
第２１面
K=0.000
A4=8.11807e-04,A6=1.25389e-04  
第２３面
K=0.000
A4=1.71086e-04,A6=-6.09997e-06,A8=2.12654e-06  
ズームデータ
ＷＥ      ＳＴ      ＴＥ
焦点距離       4.46      9.56     22.66    
ＦＮＯ．       3.91      4.40      5.71     
画角２ω      90.38     43.16     18.96    
BF             9.34     11.13     15.31     
全長          52.33     52.34     52.33     
d8             0.31      4.66      7.96       
d13            8.62      4.28      0.97     
d16            6.44      3.95      0.37      
d21            0.68      1.40      0.79     
d23            8.71     10.49     14.67      
群焦点距離
f1=10.88     f2=-4.86     f3=16.11     f4=9.71     f5=-13.06   
【００９３】
また、図１４は、数値実施例１に係るズームレンズの望遠端状態における、環境温度の変化に対する像面位置の変化量と、調整部材（形状記憶合金）の温度変化に対する像面位置の変化量との関係を示す図である。図中、環境温度の変化に対する像面位置の変化量は黒い四角で、また、調整部材（形状記憶合金）の温度変化に対する像面位置の変化量は白丸印でそれぞれ示している。以下図１５〜図１８において同様の記述を行う。また、長さの単位はｍｍ、温度の単位は℃（度）である。
【００９４】
また、表１に、数値実施例１における数値実施例１に係るズームレンズの望遠端状態における、環境温度の変化に対する像面位置の変化量と、調整部材（形状記憶合金）の温度変化に対する像面位置の変化量との具体的な数値を掲げる。
なお、以下すべての表１〜表５において、形状記憶合金の幅は４ｍｍで、外気温度と一定に変化した場合を想定したときの値である。
【００９５】
図１４と、表１とから明らかなように、調整部材（形状記憶合金）の温度を目標値へ制御することで、環境温度の変化による像面位置の変化を略相殺することができる。これにより、常に安定した光学特性を得ることができる。
【００９６】
（表１）
実施例１
環境温度の  環境温度  調整部材の   調整部材温度
像面変化               像面変化    
-0.211        50.0      0.220       76.3 
-0.150        40.0      0.148       64.2 
-0.100        30.0      0.101       52.1 
-0.001        20.0      0.000       40.0 
0.081        10.0     -0.080       27.5 
0.158         0.0     -0.157       15.4 
0.237       -10.0     -0.239        2.9 
0.316       -20.0     -0.314       -9.2 
0.394       -30.0     -0.390      -21.3 
0.477       -40.0     -0.478      -33.8 
0.556       -50.0     -0.560      -45.8 
0.638       -60.0     -0.640      -58.3
【００９７】
また、図１５は、数値実施例２に係るズームレンズの望遠端状態における、環境温度の変化に対する像面位置の変化量と、調整部材（形状記憶合金）の温度変化に対する像面位置の変化量との関係を示す図である。
【００９８】
また、表２に、数値実施例２における数値実施例１に係るズームレンズの望遠端状態における、環境温度の変化に対する像面位置の変化量と、調整部材（形状記憶合金）の温度変化に対する像面位置の変化量との具体的な数値を掲げる。
【００９９】
図１５と、表２とから明らかなように、調整部材（形状記憶合金）の温度を目標値へ制御することで、環境温度の変化による像面位置の変化を相殺することができる。これにより、常に安定した光学特性を得ることができる。
【０１００】
（表２）
実施例２
環境温度の  環境温度  調整部材の   調整部材温度
像面変化               像面変化    
-0.045       50.0       0.044       55.1 
-0.030       40.0       0.031       45.8 
-0.015       30.0       0.015       36.4 
0.000       20.0       0.000       27.0 
0.013       10.0      -0.011       17.5 
0.028        0.0      -0.026        8.2 
0.050      -10.0      -0.050       -0.9 
0.070      -20.0      -0.069      -10.1 
0.085      -30.0      -0.086      -19.5 
0.105      -40.0      -0.104      -28.6 
0.125      -50.0      -0.124      -37.8 
0.138      -60.0      -0.140      -47.3
【０１０１】
また、図１６は、数値実施例３に係るズームレンズの望遠端状態における、環境温度の変化に対する像面位置の変化量と、調整部材（形状記憶合金）の温度変化に対する像面位置の変化量との関係を示す図である。
【０１０２】
また、表３に、数値実施例３における数値実施例１に係るズームレンズの望遠端状態における、環境温度の変化に対する像面位置の変化量と、調整部材（形状記憶合金）の温度変化に対する像面位置の変化量との具体的な数値を掲げる。
【０１０３】
図１６と、表３とから明らかなように、調整部材（形状記憶合金）の温度を目標値へ制御することで、環境温度の変化による像面位置の変化を相殺することができる。これにより、常に安定した光学特性を得ることができる。
【０１０４】
（表３）
実施例３
環境温度の  環境温度  調整部材の   調整部材温度
像面変化               像面変化    
-0.350      50.0       0.349       50.3 
-0.232      40.0       0.233       41.5 
-0.111      30.0       0.111       32.8 
0.000      20.0       0.000       24.0 
0.139      10.0      -0.140       15.5 
0.268       0.0      -0.267        6.9 
0.399     -10.0      -0.398       -1.6 
0.532     -20.0      -0.533      -10.6 
0.665     -30.0      -0.665      -18.9 
0.798     -40.0      -0.799      -27.5 
0.929     -50.0      -0.929      -35.8 
1.058     -60.0      -1.055      -44.3
【０１０５】
また、図１７は、数値実施例４に係るズームレンズの望遠端状態における、環境温度の変化に対する像面位置の変化量と、調整部材（形状記憶合金）の温度変化に対する像面位置の変化量との関係を示す図である。
【０１０６】
また、表４に、数値実施例４における数値実施例１に係るズームレンズの望遠端状態における、環境温度の変化に対する像面位置の変化量と、調整部材（形状記憶合金）の温度変化に対する像面位置の変化量との具体的な数値を掲げる。
【０１０７】
図１７と、表４とから明らかなように、調整部材（形状記憶合金）の温度を目標値へ制御することで、環境温度の変化による像面位置の変化を相殺することができる。これにより、常に安定した光学特性を得ることができる。
【０１０８】
（表４）
実施例４
環境温度の  環境温度  調整部材の   調整部材温度
像面変化               像面変化    
-0.350       50.0       0.348       50.8 
-0.232       40.0       0.230       41.5 
-0.111       30.0       0.116       32.3 
0.000       20.0       0.000       23.0 
0.139       10.0      -0.140       13.9 
0.268        0.0      -0.268        4.7 
0.399      -10.0      -0.400       -4.5 
0.532      -20.0      -0.533      -13.6 
0.665      -30.0      -0.661      -22.7 
0.798      -40.0      -0.790      -31.8 
0.929      -50.0      -0.922      -40.9 
1.058      -60.0      -1.060      -50.0
【０１０９】
また、図１８は、数値実施例５に係るズームレンズの望遠端状態における、環境温度の変化に対する像面位置の変化量と、調整部材（形状記憶合金）の温度変化に対する像面位置の変化量との関係を示す図である。
【０１１０】
また、表５に、数値実施例５における数値実施例１に係るズームレンズの望遠端状態における、環境温度の変化に対する像面位置の変化量と、調整部材（形状記憶合金）の温度変化に対する像面位置の変化量との具体的な数値を掲げる。
【０１１１】
図１８と、表５とから明らかなように、調整部材（形状記憶合金）の温度を目標値へ制御することで、環境温度の変化による像面位置の変化を相殺することができる。これにより、常に安定した光学特性を得ることができる。
【０１１２】
（表５）
実施例５
環境温度の  環境温度  調整部材の   調整部材温度
像面変化               像面変化    
0.296        50.0      -0.296      50.6 
0.196        40.0      -0.196      41.4 
0.094        30.0      -0.093      32.2 
0.000        20.0       0.000      23.0 
-0.115        10.0       0.115      14.0 
-0.223         0.0       0.223       4.8 
-0.332       -10.0       0.332      -4.3 
-0.444       -20.0       0.444     -13.3 
-0.556       -30.0       0.556     -22.4 
-0.670       -40.0       0.670     -31.4 
-0.780       -50.0       0.780     -40.3 
-0.886       -60.0       0.880     -49.4
【０１１３】
各実施例における条件式対応値を以下に掲げる。
条件式
（１）0.50＜|fm/fw|＜10.00 
（２）0.01＜|fm/ft|＜3.00 
（３）0.50＜fｃ/fw|＜10.00 
（４）0.01＜fｃ/ft|＜3.00 
fw・・・ズームレンズの広角端における焦点距離
ft・・・ズームレンズの望遠端の焦点距離
fm・・・プラスチックモールドレンズの焦点距離
fc・・・調整レンズまたは調整レンズ群の焦点距離
実施例１  実施例２  実施例３  実施例４  実施例５
モールドレンズに関する条件式
（１）|fm/fw|      1.58      1.58      1.59      1.59      3.61 
（２）|fm/ft|      0.33      0.33      0.42      0.42      0.71
調整レンズに関する条件式
（３）|fc/fw|      4.290     1.471     5.204     2.057     2.175
（４）|fc/fｔ|     0.887     0.304     1.364     0.539     0.428
【０１１４】
以上説明した光学装置は、デジタルカメラに限られず、プロジェクタ、携帯電話、ノートＰＣ、車載カメラ、監視カメラにも好適である。
【産業上の利用可能性】
【０１１５】
以上のように、本発明にかかる光学装置は、環境温度の変化に関わらず安定した光学特性を有する装置に適している。
【符号の説明】
【０１１６】
Ｇ１…第１レンズ群
Ｇ２…第２レンズ群
Ｇ３…第３レンズ群
Ｇ４…第４レンズ群
Ｓ…明るさ絞り
Ｆ…ローパスフィルタ
Ｃ…カバーガラス
Ｉ…像面
１００…デジタルカメラ
１０１…撮影光学系
１０２…撮影用光路
１０３…ファインダー光学系
１０４…ファインダー用光路
１０５…シャッターボタン
１０６…フラッシュ
１０７…カバー部材
１０８…焦点距離変更ボタン
１０９…液晶表示モニター
１１０…ＣＣＤ
１１２…処理手段
１１３…記憶手段
１１４…ファインダー用対物光学系
１１５…視野枠
１１６…正立プリズム
１１７…接眼光学系
１１８…設定変更スイッチ
１２０…温度補正用間隔調整部材
ＴＳ…温度センサ
ＴＢ…テーブル
【図１】
0005558255.tif 000002
【図２】
0005558255.tif 000003
【図３】
0005558255.tif 000004
【図４】
0005558255.tif 000005
【図５】
0005558255.tif 000006
【図６】
0005558255.tif 000007
【図７】
0005558255.tif 000008
【図８】
0005558255.tif 000009
【図９】
0005558255.tif 000010
【図１０】
0005558255.tif 000011
【図１１】
0005558255.tif 000012
【図１２】
0005558255.tif 000013
【図１３】
0005558255.tif 000014
【図１４】
0005558255.tif 000015
【図１５】
0005558255.tif 000016
【図１６】
0005558255.tif 000017
【図１７】
0005558255.tif 000018
【図１８】
0005558255.tif 000019